(57)【特許請求の範囲】
【請求項１】
立軸ポンプの主軸を軸承する水中軸受のボスの上端に取り付けられて上記主軸を囲む円環状上部金具の上面を内周から外周に向かって下降するように傾斜させるとともにその外周面と内周面とを連通し揚水路の内周寄りの揚液を軸受間隙内に取り入れる潤滑水取入穴を設け、かつ、上記水中軸受のボスの下端に取り付けられて上記主軸を囲む円環状下部金具の下面を内周から外周に向かって上昇するように傾斜させるとともにその内周面に螺旋状溝を設け、上記潤滑水取水穴から取り入れられ上記軸受間隙を下降する過程で同軸受間隙を潤滑した上記揚液を上記揚液路へ強制的に排出するように構成してなることを特徴とする立軸ポンプにおける水中軸受の異物侵入防止装置。
【発明の詳細な説明】
【０００１】
【産業上の利用分野】
本発明は立軸ポンプにおける水中軸受の異物侵入防止装置に関する。
【０００２】
【従来の技術】
従来のこの種装置の１例が図２に示されている。
図２において、21は立軸ポンプの主軸、22は胴、23は揚液路である。
水中軸受10はボス１と、その内周に固着された裏金２と、その内周面に嵌合されたゴム３と、この内周面に周方向に沿って間隔を隔てて埋設された複数のテフロン４からなり、ボス１はリブ５を介して胴22に支持されている。
【０００３】
しかして、立軸ポンプの運転時、その羽根車によって付勢された揚液が白抜き矢印で示すように揚液路23を通って上昇し、その一部が主軸21の外周面とテフロン４の内周面との隙間、即ち、軸受間隙６内に供給されて水中軸受10を潤滑する。
【０００４】
しかし、揚液中に含まれる砂やスラリー等の異物が多い場合には、この異物が軸受間隙６内に侵入して主軸21や水中軸受10に異常摩耗が発生し、これに基づく異常振動等により立軸ポンプの運転が不能となるおそれがあった。
【０００５】
これに対処するため、図３に示す異物侵入防止装置が提案された。
ボス１の上端面及び下端面に主軸21を囲む上部保護管24及び下部保護管25がそれぞれ取り付けられている。
【０００６】
しかして、図示しない外部の清浄水供給装置から送られた清浄水が矢印で示すように上部保護管24と主軸21の外周面との隙間に供給され、軸受間隙６を通って下部保護管25の内周面と主軸21の外周面との隙間を経て揚液路23に入り、揚液路23内を上昇する揚液に伴われて吐出される。
【０００７】
この装置は上部保護管24、下部保護管25及び清浄水供給装置を設置し、かつ、これからの清浄水を上部保護管24の内側に導くための配管を要するため、コストが嵩むという問題があった。
【０００８】
【課題を解決するための手段】
本発明は上記課題を解決するために発明されたものであって、その要旨とするところは、立軸ポンプの主軸を軸承する水中軸受のボスの上端に取り付けられて上記主軸を囲む円環状上部金具の上面を内周から外周に向かって下降するように傾斜させるとともにその外周面と内周面とを連通し揚水路の内周寄りの揚液を軸受間隙内に取り入れる潤滑水取入穴を設け、かつ、上記水中軸受のボスの下端に取り付けられて上記主軸を囲む円環状下部金具の下面を内周から外周に向かって上昇するように傾斜させるとともにその内周面に螺旋状溝を設け、上記潤滑水取水穴から取り入れられ上記軸受間隙を下降する過程で同軸受間隙を潤滑した上記揚液を上記揚液路へ強制的に排出するように構成してなることを特徴とする立軸ポンプにおける水中軸受の異物侵入防止装置にある。
【０００９】
【作用】
本発明においては、立軸ポンプの運転時、揚液中の異物は下部金具の下部傾斜面によって揚液路の外周寄りに偏寄せしめられる。そして、揚液路の内周寄りの比較的清浄な揚液の一部が上部金具の潤滑水取入穴を経て軸受間隙内に取り入れられて軸受間隙を潤滑した後、下部金具の螺旋状溝によって付勢されて強制的に排出される。
【００１０】
立軸ポンプの停止時、揚液路を下降する揚液中の異物は上部金具の上部傾斜面によって揚液路の外周寄りに偏寄せしめられるので軸受間隙内に侵入することはない。
その結果、立軸ポンプの運転中のみならず停止中であっても揚液中の異物が軸受間隙に侵入するのを防止しうるので、主軸及び水中軸受の異常摩耗を防止してその寿命を延長しうる。また、従来のものの上下保護管、清浄水供給装置及びこれからの清浄水を上部保護管の内周側に導くための配管等を省略できるので、コストを大巾に低減できる。
【００１１】
【実施例】
本発明の１実施例が図１に示されている。
水中軸受10のボス１の上端面には主軸21を囲む円環状の上部金具30がボルト33によって締結されている。この上部金具30の上面31は内周から外周に向かって次第に下降するように傾斜せしめられ、かつ、下面34には放射方向に向かう断面半円状の複数の溝32が穿設されている。この溝32とボス１の上端面とによって潤滑水取入穴が形成されている。
【００１２】
また、ボス１の下端面には主軸21を囲む円環状の下部金具40がボルト43によって締結されている。この下部金具40の下面41は内周から外周に向かって次第に上昇するように傾斜せしめられ、かつ、内周面には複数の螺旋状溝42が穿設されている。
【００１３】
しかして、立軸ポンプの運転時、主軸21が矢印方向に回転すると、図示しない羽根車によって付勢された揚液が白抜矢印で示すように揚液路23を通って上昇する。この際、主軸21に沿って上昇して来た揚液中の異物26は下部金具40の下部傾斜面41によって鎖線矢印で示すように揚液路23の外周寄りに偏寄せしめられる。
【００１４】
そして、内周寄りの異物が少ない揚液の一部が潤滑水取入穴32を通って軸受間隙６内に入り、軸受間隙６を下降する過程でこれを潤滑した後、下部金具40の螺旋状溝42と主軸21の外周面とによって構成されるねじポンプ機構により付勢されて強制的に揚液路23に排出される。
【００１５】
一方、立軸ポンプの停止時、主軸21のまわりを下降して来た揚液中の異物26は上部金具30の上部傾斜面31によって破線矢印で示すように揚液路23の外周寄りに偏寄せしめられるので、主軸21の外周面と上部金具30の内周面との隙間を通って軸受間隙６内に侵入することはない。
【００１６】
【発明の効果】
本発明においては、立軸ポンプにおける水中軸受の異物侵入防止装置を、立軸ポンプの主軸を軸承する水中軸受のボスの上端に取り付けられて上記主軸を囲む円環状上部金具の上面を内周から外周に向かって下降するように傾斜させるとともにその外周面と内周面とを連通し揚水路の内周寄りの揚液を軸受間隙内に取り入れる潤滑水取入穴を設け、かつ、上記水中軸受のボスの下端に取り付けられて上記主軸を囲む円環状下部金具の下面を内周から外周に向かって上昇するように傾斜させるとともにその内周面に螺旋状溝を設け、上記潤滑水取水穴から取り入れられ上記軸受間隙を下降する過程で同軸受間隙を潤滑した上記揚液を上記揚液路へ強制的に排出するように構成したので、立軸ポンプの運転時、揚液中の異物は下部金具の下部傾斜面によって揚液路の外周寄りに偏寄せしめられ、揚液路の内周寄りの比較的清浄な揚液の一部が上部金具の潤滑水取入穴を経て軸受間隙内に取り入れられて軸受間隙を潤滑した後、下部金具のねじ溝によって付勢されて強制的に排出される。
【００１７】
立軸ポンプの停止時、揚液路を下降する揚液中の異物は上部金具の上部傾斜面によって揚液路の外周寄りに偏寄せしめられるので軸受間隙内に侵入することはない。
【００１８】
この結果、立軸ポンプの運転中のみならず停止中であっても揚液中の異物が軸受間隙に侵入するのを防止しうるので、主軸及び水中軸受の異常摩耗を防止してその寿命を延長しうる。
【００１９】
また、図３に示す従来のものの上下保護管、清浄水供給装置及びこれからの清浄水を上部保護管の内周側に導くための配管等を省略できるので、コストを大巾に低減できる。
【図面の簡単な説明】
【図１】本発明の１実施例を示し、(A) は部分的縦断面図、(B) は(A) のＢ−Ｂ線に沿う部分的横断面図、(C) は(A) のＣ−Ｃ線に沿う部分的断面図である。
【図２】従来の立軸ポンプの水中軸受の１例を示し、(A) は部分的縦断面図、(B) は(A) のＢ−Ｂ線に沿う部分的横断面図である。
【図３】従来の立軸ポンプにおける水中軸受の異物侵入防止装置を示し、(A) は部分的縦断面図、(B) は(A) のＢ−Ｂ線に沿う部分的横断面図である。
【符号の説明】
21  主軸
22  胴
23  揚液路
10  水中軸受
１  ボス
２  裏金
３  ゴム
４  テフロン
５  リブ
６  軸受間隙
30  上部金具
31  上部傾斜面
32  潤滑水取入穴
33  ボルト
40  下部金具
41  下部傾斜面
42  螺旋状溝
43  ボルト
【図１】
0003727686.tif 000002
【図２】
0003727686.tif 000003
【図３】
0003727686.tif 000004